【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
ウィンドウを表示装置の表示画面内に二次元表示及び三次元表示可能な情報処理装置であって、
前記ウィンドウを前記表示画面内に二次元表示及び三次元表示する表示手段と、
前記ウィンドウに対する操作の開始と、終了とを検出する検出手段と、
を有し、
前記表示手段は、前記ウィンドウを前記表示画面上にある水平又は垂直な第１の回転軸で回転させることにより、前記ウィンドウを二次元表示及び三次元表示することができ、
前記検出手段で三次元表示されたウィンドウに対するアノテーション入力の開始が検出された場合、前記表示手段は、前記第１の回転軸と平行であり、前記ウィンドウ上でアノテーション入力を開始した原点と交わる第２の回転軸で前記ウィンドウを回転させることにより前記ウィンドウを二次元表示し、アノテーション入力の結果を二次元表示した前記ウィンドウ上に反映させ、
前記検出手段で前記ウィンドウに対するアノテーション入力の終了が検出された場合、前記表示手段は、前記ウィンドウ及び前記アノテーション入力の結果であるアノテーションの内容を前記第２の回転軸で回転させることを特徴とする情報処理装置。
【請求項２】
ウィンドウを表示装置の表示画面内に二次元表示及び三次元表示可能な情報処理装置であって、
前記ウィンドウを前記表示画面内に二次元表示及び三次元表示する表示手段と、
前記ウィンドウに対するユーザによる操作の開始と、終了とを検出する検出手段と、
を有し、
前記表示手段は、前記ウィンドウを前記表示画面上にある一点を中心に回転させることにより、前記ウィンドウを二次元表示及び三次元表示することができ、
前記検出手段で三次元表示されたウィンドウに対するアノテーション入力の開始が検出された場合、前記表示手段は、前記ウィンドウ上でアノテーション入力を開始した原点を中心に前記ウィンドウを回転させることにより前記ウィンドウを二次元表示し、アノテーション入力の結果を二次元表示した前記ウィンドウ上に反映させ、
前記検出手段で前記ウィンドウに対するアノテーション入力の終了が検出された場合、前記表示手段は、前記ウィンドウ及び前記アノテーションの操作の結果であるアノテーションの内容を前記原点で回転させることを特徴とする情報処理装置。
【請求項３】
前記表示手段は、ウィンドウを二次元表示する際に、二次元表示する前記ウィンドウの表示サイズが前記ウィンドウのオリジナルの表示サイズの所定の割合よりも小さい場合、二次元表示する前記ウィンドウを、アノテーション入力を開始した座標を中心に拡大して表示することを特徴とする請求項１又は２に記載の情報処理装置。
【請求項４】
前記表示手段は、ウィンドウを二次元表示する際に、二次元表示する前記ウィンドウが他のウィンドウを覆い隠す場合、二次元表示する前記ウィンドウが覆い隠す領域を透過して表示することを特徴とする請求項１乃至３の何れか１項に記載の情報処理装置。
【請求項５】
前記表示手段は、前記ウィンドウを二次元表示する際に、二次元表示する前記ウィンドウが他のウィンドウを覆い隠す場合、前記他のウィンドウを前記二次元表示する前記ウィンドウに覆い隠されない位置に移動することを特徴とする請求項１乃至３の何れか１項に記載の情報処理装置。
【請求項６】
ウィンドウを表示装置の表示画面内に二次元表示及び三次元表示可能な情報処理装置が実行する表示方法であって、
前記ウィンドウを前記表示画面内に二次元表示及び三次元表示する表示ステップと、
前記ウィンドウに対する操作の開始を検出する開始検出ステップと、
前記ウィンドウに対する操作の終了を検出する終了検出ステップと、
を含み、
前記表示ステップでは、前記ウィンドウを前記表示画面上にある水平又は垂直な第１の回転軸で回転させることにより、前記ウィンドウを二次元表示及び三次元表示し、
前記開始検出ステップで三次元表示されたウィンドウに対するアノテーション入力の開始が検出された場合、前記第１の回転軸と平行であり、前記ウィンドウ上でアノテーション入力を開始した原点と交わる第２の回転軸で前記ウィンドウを回転させることにより前記ウィンドウを二次元表示し、アノテーション入力の結果を二次元表示した前記ウィンドウ上に反映させる二次元表示ステップと、
前記終了検出ステップで前記ウィンドウに対するアノテーション入力の終了が検出された場合、前記ウィンドウ及び前記アノテーション入力の結果であるアノテーションの内容を前記第２の回転軸で回転させる三次元表示ステップと、
を更に含むことを特徴とする表示方法。
【請求項７】
ウィンドウを表示装置の表示画面内に二次元表示及び三次元表示可能な情報処理装置が実行する表示方法であって、
前記ウィンドウを前記表示画面内に二次元表示及び三次元表示する表示ステップと、
前記ウィンドウに対するユーザによる操作の開始を検出する開始検出ステップと、
前記ウィンドウに対するユーザによる操作の終了を検出する終了検出ステップと、
を含み、
前記表示ステップでは、前記ウィンドウを前記表示画面上にある一点を中心に回転させることにより、前記ウィンドウを二次元表示及び三次元表示し、
前記開始検出ステップで三次元表示されたウィンドウに対するアノテーション入力の開始が検出された場合、前記ウィンドウ上でアノテーション入力を開始した原点を中心に前記ウィンドウを回転させることにより前記ウィンドウを二次元表示し、アノテーション入力の結果を二次元表示した前記ウィンドウ上に反映させる二次元表示ステップと、
前記終了検出ステップで前記ウィンドウに対するアノテーション入力の終了が検出された場合、前記ウィンドウ及び前記アノテーションの操作の結果であるアノテーションの内容を前記原点で回転させる三次元表示ステップと、
を更に含むことを特徴とする表示方法。
【請求項８】
前記二次元表示ステップでは、ウィンドウを二次元表示する際に、二次元表示する前記ウィンドウの表示サイズが前記ウィンドウのオリジナルの表示サイズの所定の割合よりも小さい場合、二次元表示する前記ウィンドウを、アノテーション入力を開始した座標を中心に拡大して表示することを特徴とする請求項６又は７に記載の表示方法。
【請求項９】
前記二次元表示ステップでは、ウィンドウを二次元表示する際に、二次元表示する前記ウィンドウが他のウィンドウを覆い隠す場合、二次元表示する前記ウィンドウが覆い隠す領域を透過して表示することを特徴とする請求項６乃至８の何れか１項に記載の表示方法。
【請求項１０】
前記二次元表示ステップでは、前記ウィンドウを二次元表示する際に、二次元表示する前記ウィンドウが他のウィンドウを覆い隠す場合、前記他のウィンドウを前記二次元表示する前記ウィンドウに覆い隠されない位置に移動することを特徴とする請求項６乃至８の何れか１項に記載の表示方法。
【請求項１１】
ウィンドウを表示装置の表示画面内に二次元表示及び三次元表示可能なコンピュータを、
前記ウィンドウを前記表示画面内に二次元表示及び三次元表示する表示手段と、
前記ウィンドウに対する操作の開始と、終了とを検出する検出手段と、
して機能させ、
前記表示手段は、前記ウィンドウを前記表示画面上にある水平又は垂直な第１の回転軸で回転させることにより、前記ウィンドウを二次元表示及び三次元表示することができ、
前記検出手段で三次元表示されたウィンドウに対するアノテーション入力の開始が検出された場合、前記表示手段は、前記第１の回転軸と平行であり、前記ウィンドウ上でアノテーション入力を開始した原点と交わる第２の回転軸で前記ウィンドウを回転させることにより前記ウィンドウを二次元表示し、アノテーション入力の結果を二次元表示した前記ウィンドウ上に反映させ、
前記検出手段で前記ウィンドウに対するアノテーション入力の終了が検出された場合、前記表示手段は、前記ウィンドウ及び前記アノテーション入力の結果であるアノテーションの内容を前記第２の回転軸で回転させることを特徴とするプログラム。
【請求項１２】
ウィンドウを表示装置の表示画面内に二次元表示及び三次元表示可能なコンピュータを、
前記ウィンドウを前記表示画面内に二次元表示及び三次元表示する表示手段と、
前記ウィンドウに対するユーザによる操作の開始と、終了とを検出する検出手段と、
して機能させ、
前記表示手段は、前記ウィンドウを前記表示画面上にある一点を中心に回転させることにより、前記ウィンドウを二次元表示及び三次元表示することができ、
前記検出手段で三次元表示されたウィンドウに対するアノテーション入力の開始が検出された場合、前記表示手段は、前記ウィンドウ上でアノテーション入力を開始した原点を中心に前記ウィンドウを回転させることにより前記ウィンドウを二次元表示し、アノテーション入力の結果を二次元表示した前記ウィンドウ上に反映させ、
前記検出手段で前記ウィンドウに対するアノテーション入力の終了が検出された場合、前記表示手段は、前記ウィンドウ及び前記アノテーションの操作の結果であるアノテーションの内容を前記原点で回転させることを特徴とするプログラム。
【請求項１３】
請求項１１又は１２に記載のプログラムを記憶したコンピュータが読み取り可能な記憶媒体。
【手続補正２】
【補正対象書類名】明細書
【補正対象項目名】０００７
【補正方法】変更
【補正の内容】
【０００７】
そこで、本発明は、ウィンドウを表示装置の表示画面内に二次元表示及び三次元表示可能な情報処理装置であって、前記ウィンドウを前記表示画面内に二次元表示及び三次元表示する表示手段と、前記ウィンドウに対する操作の開始と、終了とを検出する検出手段と、を有し、前記表示手段は、前記ウィンドウを前記表示画面上にある水平又は垂直な第１の回転軸で回転させることにより、前記ウィンドウを二次元表示及び三次元表示することができ、前記検出手段で三次元表示されたウィンドウに対するアノテーション入力の開始が検出された場合、前記表示手段は、前記第１の回転軸と平行であり、前記ウィンドウ上でアノテーション入力を開始した原点と交わる第２の回転軸で前記ウィンドウを回転させることにより前記ウィンドウを二次元表示し、アノテーション入力の結果を二次元表示した前記ウィンドウ上に反映させ、前記検出手段で前記ウィンドウに対するアノテーション入力の終了が検出された場合、前記表示手段は、前記ウィンドウ及び前記アノテーション入力の結果であるアノテーションの内容を前記第２の回転軸で回転させることを特徴とする。
【手続補正３】
【補正対象書類名】明細書
【補正対象項目名】０００８
【補正方法】変更
【補正の内容】
【０００８】
そこで、本発明は、ウィンドウを表示装置の表示画面内に二次元表示及び三次元表示可能な情報処理装置であって、前記ウィンドウを前記表示画面内に二次元表示及び三次元表示する表示手段と、前記ウィンドウに対するユーザによる操作の開始と、終了とを検出する検出手段と、を有し、前記表示手段は、前記ウィンドウを前記表示画面上にある一点を中心に回転させることにより、前記ウィンドウを二次元表示及び三次元表示することができ、前記検出手段で三次元表示されたウィンドウに対するアノテーション入力の開始が検出された場合、前記表示手段は、前記ウィンドウ上でアノテーション入力を開始した原点を中心に前記ウィンドウを回転させることにより前記ウィンドウを二次元表示し、アノテーション入力の結果を二次元表示した前記ウィンドウ上に反映させ、前記検出手段で前記ウィンドウに対するアノテーション入力の終了が検出された場合、前記表示手段は、前記ウィンドウ及び前記アノテーションの操作の結果であるアノテーションの内容を前記原点で回転させることを特徴とする情報処理装置。